(57)【特許請求の範囲】
【請求項１】
前後方向を有し、ペニスを前後方向から被覆する前面部及び後面部と、ペニスが挿入される開口部と、前記前後面部間に画成されたペニス収容部とを含む男性用尿取りパッドにおいて、
透液性のトップシートと、不透液性のバックシートと、それらの間に介在された吸液性コアとを有し、２つ折りにすることによって前記前面部及び前記後面部が形成される吸収性パッドと、不透液性であって、着用状態において前記吸収性パッドの両側縁部を封止し、かつ前記吸収性パッドの外面全体を被覆するカバーシートとを含み、
前記吸収性パッドは、前記前後面部側のうちの少なくとも一方側の開口縁部において、前記ペニス収容部内に延びる弾性反発部材を有し、
前記弾性反発部材が配置された前記開口縁部には、所要の厚さを有する防漏堤が設けられていることを特徴とする前記男性用尿取りパッド。
【請求項２】
前記防漏堤は、前記トップシートの内面側に配置された防漏シートと、前記バックシートの端部を折曲して形成され、前記防漏シートの内面を覆う端部フラップとを含む請求項１に記載の尿取りパッド。
【請求項３】
前記防漏堤は、複数の繊維不織布シートを重ね合わせて形成された繊維不織布層である請求項１又は２に記載の尿取りパッド。
【請求項４】
前記弾性反発部材は、前記前面部及び前記後面部とのほぼ全面に配置された１枚のシートである請求項１〜３のいずれかに記載の尿取りパッド。
【請求項５】
縦方向を有し、前記後面部が前記前面部よりも前記縦方向の外方へ延出している請求項１〜４のいずれかに記載の尿取りパッド。
【請求項６】
前記弾性反発部材は、酢酸ビニル樹脂から形成されたネット状のシートである請求項１〜５のいずれかに記載の尿取りパッド。
【請求項７】
前記開口部の両側に位置する封止部が、前記カバーシートの一部から形成されており、前記防漏堤が、前記カバーシートの内面において前記バックシートの両側部を折曲して形成された一対の側部フラップ間に位置しており、前記前後方向において対向する側部フラップどうしが接合域を介して互いに接合されている請求項１〜６のいずれかに記載の尿取りパッド。
【発明の詳細な説明】
【技術分野】
【０００１】
本発明は、男性用尿取りパッドに関し、より詳しくは、開口縁部がペニスに密着し、尿が外部に漏れ出ることのない男性用尿取りパッドに関する。
【背景技術】
【０００２】
従来、ペニスに直接装着する男性用尿取りパッドは公知である。たとえば、特許文献１には、弾性を有する防漏壁がペニスを挿入する開口部の縁部に形成された男性用尿取りパッドが開示されている。
【先行技術文献】
【特許文献】
【０００３】
【特許文献１】特開平９−２０６３２４号公報
【発明の概要】
【発明が解決しようとする課題】
【０００４】
特許文献１に開示の男性用尿取りパッドによれば、開口縁部に形成された防漏壁が、開口部の周縁方向に起立するので、着用中にペニスにそれを包み込むようにして密着し、尿取りパッドとペニスとの間に隙間が生じるのを防止することができる。
【０００５】
しかし、着用時において、尿取りパッドの開口縁部は防漏壁によってその周縁方向へ伸長されているので、開口が塞がれた状態にあり、ペニスを挿入するときには、開口縁部を指で摘んでペニスが挿入できる大きさにまで拡げたり、ペニスを摘んで開口縁部にねじ込むようにして挿入する必要がある。また、開口縁部をペニスの周囲に密着させるためには、切り込みの両側域が重なり合うように、該両側域にそれぞれ位置するファスナの雄部材と雌部材とを止着させる必要があり手間である。さらに、着用中に、ファスナ部材による止着が解除された場合には、開口縁部がペニスの周縁から離間して隙間が生じ、排泄された尿がペニスを伝って外部に漏れ出るおそれがある。
【０００６】
そこで、本発明は、弾性反発部材の弾性反発力を利用することによって、ペニスに触れることなく装着することができ、また、装着された状態において開口縁部にペニスがフィットして開口縁部の隙間から尿が漏れ出ることのない尿取りパッドを提供する。
【課題を解決するための手段】
【０００７】
前記課題を解決するために、本発明が対象とするのは、前後方向を有し、ペニスを前後方向から被覆する前面部及び後面部と、ペニスが挿入される開口部と、前記前後面部間に画成されたペニス収容部とを含む男性用尿取りパッドである。
【０００８】
本発明の特徴とするところは、透液性のトップシートと、不透液性のバックシートと、それらの間に介在された吸液性コアとを有し、２つ折りにすることによって前記前面部及び前記後面部が形成される吸収性パッドと、不透液性であって、着用状態において前記吸収性パッドの両側縁部を封止し、かつ前記吸収性パッドの外面全体を被覆するカバーシートとを含み、前記吸収性パッドは、前記前後面部側のうちの少なくとも一方側の開口縁部において、前記ペニス収容部内に延びる弾性反発部材を有し、前記弾性反発部材が配置された前記開口縁部には、所要の厚さを有する防漏堤が設けられていることにある。
【０００９】
本発明の実施態様の一つとして、前記防漏堤は、複数の繊維不織布シートを重ね合わせて形成された繊維不織布層である。
【００１０】
本発明の他の実施態様の一つとして、前記弾性反発部材は、前記前面部及び後面部とのほぼ全面に配置された１枚のシートである。
【００１１】
本発明の他の実施態様の一つとして、縦方向を有し、前記後面部が前記前面部よりも前記縦方向の外方へ延出している。
【００１２】
本発明の他の実施態様の一つとして、前記弾性反発部材は、酢酸ビニル樹脂から形成されたネット状のシートである。
【００１３】
本発明の他の実施態様の一つとして、前記防漏堤は、前記トップシートの内面側に配置された防漏シートと、前記バックシートの端部を折曲して形成され、前記防漏シートの内面を覆う端部フラップとを含む。
【００１４】
本発明の他の実施態様の一つとして、前記開口部の両側に位置する封止部が、前記カバーシートの一部から形成されており、前記防漏堤が、前記カバーシートの内面において前記バックシートの両側部を折曲して形成された一対の側部フラップ間に位置しており、前記前後方向において対向する側部フラップどうしが接合域を介して互いに接合されている。
【発明の効果】
【００１５】
本発明に係る男性用尿取りパッドによれば、前後面部側の少なくとも一方側にペニス収容部内に延びる弾性反発部材が配置されていることから、その弾性反発部材の弾性反発力によって、開口縁部に対して内方へ向かって力を加えるだけで開口部をペニスを挿入できる程度の大きさに容易に開口させることができ、手でペニスを触れることなく装着できるので、衛生的である。また、ペニスを装着後は、開口縁部に加えられた力を解除することによって、弾性反発部材はその弾性復元力によって原状に復帰するので、開口縁部間においてペニスを安定的に固定することができる。また、弾性反発部材が配置された開口縁部には所要の厚さを有する防漏堤が配置されているので、開口縁部がペニスを包み込むようにフィットし、ペニスの尿道が弾性反発部材の弾性反発力によって圧迫されることはなく、装着者は快適に排尿することができる。
【図面の簡単な説明】
【００１６】
【図１】本発明の第１実施形態における男性用尿取りパッドの斜視図。
【図２】尿取りパッドの一部破断展開平面図。
【図３】尿取りパッドの分解斜視図。
【図４】尿取りパッドの組立工程の一部を示す図。
【図５】図１のＶ−Ｖ線断面図。
【図６】図１のＶＩ−ＶＩ線断面図。
【図７】図１のＶＩＩ−ＶＩＩ線断面図。
【図８】尿取りパッドの装着時の様子を示す図。
【図９】ペニスに装着したときの図７と同様の断面図。
【図１０】ペニスに装着したときの図６と同様の断面図。
【図１１】本発明の第２実施形態における図７と同様の断面図。
【図１２】本発明の第３実施形態における尿取りパッドの斜視図。
【発明を実施するための形態】
【００１７】
＜第１実施形態＞
図１〜３に示すとおり、男性用の尿取りパッド１０は、縦方向Ｙ及びそれに直交する横方向Ｘと、これらに直交する前後方向（厚さ方向）Ｚと、横方向Ｘの幅寸法を二等分する仮想縦中心線Ｐ−Ｐと、縦方向Ｙの幅寸法を二等分する仮想横中心線Ｑ−Ｑとを有する。
【００１８】
尿取りパッド１０は、前後方向Ｚにおいて互いに対向する前面部１１Ａおよび後面部１１Ｂと、縦方向Ｙに延びる両側縁部１２，１３と、両側縁部１２，１３間において縦方向Ｙに互いに離間対向する開口端部１４と封止端部１５とを有する。また、開口端部１４側には、両側縁部１２，１３側に位置する一対の封止部１７，１８が形成されており、封止部１７，１８間には、着用者のペニスを尿取りパッド１０内に挿入するための開口部１９が画成されている。開口部１９の周縁に延びる開口縁部１９ａには、前後方向Ｚにおいて互いに離間対向する一対の前後防漏堤２０ａ，２０ｂが設けられている。
【００１９】
尿取りパッド１０は、略縦長方形状の吸収性パッド２２と、吸収性パッド２２の外面に位置し、吸収性パッド２２全体を被包するカバーシート２３とをさらに含む。
【００２０】
吸収性パッド２２は、第１及び第２端縁２２ａ，２２ｂと、第１及び第２端縁２２ａ，２２ｂ間において縦方向Ｙへ延びる両側縁部２２ｃ，２２ｄとによって画成された縦長のパッド状であって、肌対向面側に位置する透液性のトップシート２４と、非肌対向面側に位置するバックシート２５と、両シート２４，２５間に介在された吸液性コア２６とを有する。また、吸液性コア２６とバックシート２５との間には、メッシュ状のシート部材からなる弾性反発部材２７が介在されている。
【００２１】
トップシート２４は、透液性を有する各種の繊維不織布シート、例えば、単位面積当たりの質量が約２０〜４０ｇ／ｍ２のエアスルー不織布から形成されている。バックシート２５は、単位面積当たりの質量が約１０〜３０ｇ／ｍ２の不透液性のＳＭＳ繊維不織布またはスパンボンド繊維不織布、若しくは、ポリエチレン製のプラスチックシートやそれらのラミネートシートから形成されている。吸液性コア２６は、超吸収性ポリマー粒子（ＳＡＰ）とフラッフパルプとの混合物を所定の形状に賦型してなる芯材２８と、その保形性及び液拡散性の向上のために芯材２８全体を被包するティッシュペーパ２９とを有する。
【００２２】
弾性反発部材２７は、比較的に高い通気性と透液性とを有するメッシュ状のシートであって、たとえば、エチレン酢酸ビニル等の弾性反発力を有する柔軟な合成樹脂で形成された厚さ約０．５〜１．０ｍｍのネットで作ることができる。なお、本実施形態において、弾性反発部材２７は、吸液性コア２６とバックシート２５との間に配置されているが、本発明の効果を奏する限りにおいて、トップシート２４と吸液性コア２６との間に配置されていてもよい。また、弾性反発部材２７は、メッシュ状の網目を有しない通常のシート形状であってもよい。
【００２３】
トップシート２４の縦方向Ｙにおいて離間対向する両端縁部２４ａ，２４ｂの内面には、それぞれ、略短冊状の一対の防漏シート３１，３２が配置されている。防漏シート３１，３２は、同形同大の複数の不織布シートを重ね合わせて形成された他のシート部材に比して嵩高のものであって、例えば、単位面積当たりの質量が約３０〜４０ｇ／ｍ２のエアスルー不織布を４〜８枚重ね合わせたラミネートシートによって形成することができる。
【００２４】
トップシート２４、吸液性コア２６および弾性反発部材２７は、ほぼ同形同大の略矩形状であるのに対し、バックシート２５は、それら外形寸法から横方向Ｘ及び縦方向Ｙの外方へ延出しており、一対の横折曲ライン３４と一対の縦折曲ライン３５とが形成されている。各横折曲ライン３４の縦方向Ｙの外方には端部フラップ３６，各縦折曲ライン３５の横方向Ｘの外方には側部フラップ３７がそれぞれ形成されている。
【００２５】
カバーシート２３は、吸収性パッド２２よりも縦方向Ｙの長さ寸法が小さく、かつ、横方向Ｘの長さ寸法が大きい横長の略十字状を有しており、縦方向Ｙへ延びる第１及び第２端縁２３ａ，２３ｂと、縦方向Ｙの外方へ向かって凸状に延びる両側縁２３ｃ，２３ｄとを有する。
【００２６】
また、カバーシート２３は、その内面に配置された吸収性パッド２２の外形に沿って縦方向Ｙへ延びる一対の縦折曲ライン４０と、側縁２３ｄ側において縦折曲ライン４０間において横方向Ｘへ延びる横折曲ライン４１とを有する。また、カバーシート２３は、縦折曲ライン４０から横方向Ｘの外方へ延びる両側部４３ａ，４３ｂと、横折曲ライン４１から縦方向Ｙの外方へ延びる外端縁部４４とを有し、その内面全体には、ホットメルト接着剤が間欠的に塗布されてなる接着域４５が形成されている。
【００２７】
カバーシート２３は、バックシート２５と同様の材料、すなわち、単位面積当たりの質量が約１０〜３０ｇ／ｍ２の不透液性のＳＭＳ繊維不織布またはスパンボンド繊維不織布、若しくは、ポリエチレン製のプラスチックシートやそれらのラミネートシートから形成されている。
【００２８】
かかる構成を有する尿取りパッド１０において、その組立工程を簡潔に述べると、まず、防漏シート３１，３２、トップシート２４、吸液性コア２６、弾性反発部材２７、バックシート２５の順に積層して、互いに重なり合うシートどうしをそれらの対向面に塗布されたホットメルト接着剤（図示せず）を介して接合する。このような積層状態において、バックシート２５の端部フラップ３６を防漏シート３１，３２を被覆するように、横折曲ライン３４に沿って内方へ折り曲げる。端部フラップ３６を内方へ向かって折り曲げた後に、バックシート２５の側部フラップ３７を縦折曲ライン３５に沿って内方へ折り曲げて、その内面に塗布されたホットメルト接着剤（図示せず）を介して端部フラップ３６及びトップシート２４の内面に固定することによって、パッド状の吸収性パッド２２が形成される。また、折曲された側部フラップ３７間には、バックシート２５の端部フラップ３６と防漏シート３１，３２とによって一対の前後防漏堤２０ａ，２０ｂが形成される。
【００２９】
図４に示すとおり、次に、吸収性パッド２２の仮想横中心線Ｑ−Ｑよりも第２端縁２２ｂ側に位置する折曲案内線４７に沿って吸収性パッド２２を２つ折りにして、互いに対向する側部フラップ３７どうしをその対向面の少なくとも一方に間欠的に塗布されたホットメルト接着剤からなる接合域４８を介して互いに固定する。これにより、前後方向Ｚにおいて互いに対向する前面部１１Ａと後面部１１Ｂとが形成されるが、後面部１１Ｂは、前面部１１Ａよりも縦方向Ｙの長さ寸法が大きく、第２端縁２２ｂは第１端縁２２ａよりも縦方向Ｙの外方に位置している。
【００３０】
次に、カバーシート２３の外端縁部４４を横折曲ライン４１に沿って内方へ、すなわち、２つ折りにされた吸収性パッド２２に向かって折り返して、その内面の接着域４５を介して固定する。最後に、カバーシート２３の縦折曲ライン４０に沿って両側部４３ａ，４３ｂを内方へ、すなわち、吸収性パッド２２に向かって互いに重なり合うように折り返し、一方側部４３ａを接着域４５を介して吸収性パッド２２に固定するとともに、他方側部４３ｂを吸収性パッド２２に固定された一方側部４３ａの外面に接着域４５を介して固定することによって、尿取りパッド１０を形成することができる。
【００３１】
尿取りパッド１０では、カバーシート２３の外端縁部４４は、両側部４３ａ，４３ｂと重ならないように吸収性パッド２２に固定されている。両側部４３ａ，４３ｂは、前面部１１Ａの横方向Ｘの幅寸法よりも小さいものであるので、上側に位置する側部４３ｂの第２端縁２３ｂが、尿取りパッド１０の側縁よりも内方に位置している。また、前面部１１Ａは後面部１１Ｂよりも縦方向Ｙの長さ寸法が小さいものであるので、前面部１１Ａに向かって折り曲げられたカバーシート２３の側部フラップ３７の一部からなる封止部１７，１８は、後面部１１Ｂに固定されている。
【００３２】
なお、尿取りパッド１０を形成する組立工程は前記工程に限るものではなく、例えば、吸収性パッド２２を２つ折りにせず、前面部１１Ａと後面部１１Ｂとを別体としてそれらを貼り合せることによって形成してもよい。
【００３３】
図５〜７（接着域４５及び接合域４８については省略）に示すとおり、尿取りパッド１０の内部には、ペニス４９を挿入して排泄された尿を保持吸収するためのペニス収容部Ｓが形成されている。尿取りパッド１０は、前記のとおり、吸収性パッド２２を二つ折りにして形成したものであるから、ペニス収容部Ｓは、その外周面全体が吸収性パッド２２によって画成されたものであって、ペニス収容部Ｓに尿が排泄されたときには、尿は速やかにトップシート２４を浸透して吸液性コア２６に移動し、吸収保持される。
【００３４】
また、縦方向Ｙにおいて折り曲げられた吸収性パッド２２の側部フラップ３７が接合域４８を介して固定されていることによって、吸収性パッド２２の側部が封止されているとともに、その外面全体を被覆するカバーシート２３が接着域４５を介して固定されているので、ペニス収容部Ｓは、いわば二重に封止された領域である。したがって、たとえ吸収性パッド２２の両側縁部２２ｃ，２２ｄから尿の一部が滲出したとしても、その外側にカバーシート２３による封止がなされているので、尿が外部に漏れ出ることはない。
【００３５】
図７に示すとおり、後防漏堤２０ｂは、前防漏堤２０ａよりも縦方向Ｙの長さ寸法が大きく、前防漏堤２０ａよりも縦方向Ｙの外方へ突出しているが、それらの下端縁５０，５１は、前後方向Ｚにおいてほぼ並行して対向しており、前後防漏堤２０ａ，２０ｂは、協働して尿の漏出を防止している。
【００３６】
図８に示すとおり、尿取りパッド１０を装着するときには、尿取りパッド１０の両側を手で押さえて内方へ向かって力を加えることによって、開口縁部１９ａを変形させて開口部１９を開き、ペニス４９をペニス収容部Ｓに挿入してから手を離す。弾性反発部材２７は、ＥＶＡ（エチレン酢酸ビニル樹脂）等の弾性反発力を有する部材から形成されているので、通常、この種の物品に使用される、弾性伸縮性を有する天然又は合成のゴム弾性部材などを使用する場合に比して、高い弾性反発力及び弾性復元力を有するものである。
【００３７】
したがって、開口縁部１９ａは、弾性反発部材２７の弾性反発力によって力を加えたときに座屈変形し易く、ペニス４９の両側に隙間５３が形成される程の大きさを有する開口部１９が形成されるので、ペニス４９を比較的容易に尿取りパッド１０内に挿入することができる。また、ペニス４９を挿入した後は、弾性反発部材２７の弾性復元力によって開口縁部１９ａが閉じるので、ペニス４９を手で掴まなくても尿取りパッド１０を装着することができ、衛生的である。
【００３８】
また、図９に示すとおり、ペニス４９を装着した状態において、後面部１１Ｂが前面部１１Ａよりも縦方向Ｙの外方へ延出しているので、弾性反発部材２７の弾性反発力によって前後防漏堤２０ａ，２０ｂがペニス４９の根本部分に密接されるとともに、前面部１１Ａより縦方向Ｙの外方へ延出する後面部１１Ｂの部位には、陰のうの一部が後防漏堤２０ｂに当接している。このように、開口縁部１９ａにペニス４９が密接され、かつ、陰のうの一部が後面部１１Ｂに当接していることによって、尿取りパッド１０が着用者の身体により安定的に装着される。したがって、たとえ開口部１９が下方に向く状態となっても、尿取りパッド１０が着用者の身体から外れたり、後面部１１Ｂとペニス４９との間から尿が漏れ出たりすることはない。
【００３９】
また、本実施形態では、弾性反発部材２７が前後面部１１Ａ，１１Ｂの全面に配置されていることから、その弾性反発力によってペニス４９をペニス収容部Ｓ内において安定的に固定することができる。尿取りパッド１０の装着時において、弾性反発部材２７は、座屈変形して湾曲状を呈した後に原状の平面形状に復するが、その場合、曲状を有するペニス４９の周面にフィットすることは困難であるところ、開口縁部１９ａにおいて所要の厚みを有する前後防漏堤２０ａ，２０ｂが配置されていることによって、弾性反発部材２７の弾性反発力によって前後防漏堤２０ａ，２０ｂがペニス４９の周縁を包み込むようにフィットし、装着時にペニス４９の両側に形成される開口部１９の隙間５３（図８参照）が小さくなり又は無くなって該隙間５３から尿が外部に漏れ出るのを抑制することができる。
【００４０】
このように、弾性反発部材２７と前後防漏堤２０ａ，２０ｂとが協働して、ペニス４９に開口縁部１９ａがフィットするので、着用者が横臥状態にあって、開口部１９が着用者の身体に対して垂直又は斜めに位置する場合であっても、尿がペニス４９を伝って外部に漏れ出るおそれはない。
【００４１】
図７に示すとおり、かかる効果を奏するためには、前後防漏堤２０ａ，２０ｂは、その厚さｈ（前後方向Ｚにおける寸法）が、約３．０〜１５．０ｍｍ、幅寸法Ｗ（縦方向Ｙの長さ寸法）が、約１０．０〜４０．０ｍｍであることが好ましい。特に、前後防漏堤２０ａ，２０ｂの幅寸法Ｗが、ペニス４９のペニス収容部Ｓに挿入されている部位の寸法よりも大きい場合には、ペニス４９の先端に位置する尿道口が前後防漏堤２０ａ，２０ｂ上に位置することになり、尿が吸収性パッド２２に吸収されないおそれがあるので、約４０．０ｍｍ以下であることが好ましい。
【００４２】
なお、本実施形態では、弾性反発部材２７は吸収性パッド２２の全域に配置されているが、本発明の効果を奏する限りにおいては、開口縁部１９ａにのみ配置されていてもよい。かかる場合には、少なくとも、前後防漏堤２０ａ，２０ｂの幅寸法よりも大きい幅寸法を有するものであることが好ましい。
【００４３】
＜第２実施形態＞
図１１は、本発明の第２実施形態における図７と同様の縦断面図である。本実施形態における尿取りパッド１０の基本的構成は、第１実施形態におけるそれとほぼ同様であるので、相違する点についてのみ以下に述べる。
【００４４】
本実施形態では、前面部１１Ａの開口縁部１９ａにおいて防漏シート３１が配置されておらず、前後防漏堤２０ａ，２０ｂのうち後防漏堤２０ｂのみが形成されている。本実施形態のように、前後防漏堤２０ａ，２０ｂのうちのいずれか一方の防漏堤２０ａ，２０ｂのみが形成されている場合であっても、防漏堤２０ｂによって尿の開口部１９への移動が堰きとめられるとともに、弾性反発部材２７の弾性反発力によって開口縁部１９ａがペニス４９の周縁に密接するので、ペニス収容部Ｓから尿が外部に漏れ出るおそれはない。
【００４５】
＜第３実施形態＞
図１２は、本発明の第３実施形態における尿取りパッド１０の斜視図である。本実施形態における尿取りパッド１０の基本的構成は、第１実施形態におけるそれとほぼ同様であるので、相違する点についてのみ以下に述べる。
【００４６】
本実施形態においては、尿取りパッド１０の前面部１１Ａと後面部１１Ｂとの縦方向Ｙの長さ寸法が同じであって、封止部１７，１８は、開口縁部１９ａからさらに縦方向Ｙの外方へ延びるカバーシート２３の外端フラップ５７に固定されている。また、前防漏堤２０ａの幅寸法と後防漏堤２０ｂの幅寸法とが同じになるので、同一形状の防漏シート３１，３２を使用することができる。
【００４７】
尿取りパッド１０を構成する各構成部材には、本明細書に記載されている材料のほかに、この種の物品において通常用いられている各種の公知の材料を制限なく用いることができる。
【符号の説明】
【００４８】
１０  男性用尿取りパッド
１１Ａ  前面部
１１Ｂ  後面部
１７  封止部
１８  封止部
１９  開口部
１９ａ  開口縁部
２０ａ  前防漏堤
２０ｂ  後防漏堤
２２  吸収性パッド
２３  カバーシート
２４  トップシート
２５  バックシート
２６  吸液性コア
２７  弾性反発部材
３１，３２  防漏シート
３７  側部フラップ
Ｙ    縦方向
Ｚ    前後方向
【図１】
0005787529.tif 000002
【図２】
0005787529.tif 000003
【図３】
0005787529.tif 000004
【図４】
0005787529.tif 000005
【図５】
0005787529.tif 000006
【図６】
0005787529.tif 000007
【図７】
0005787529.tif 000008
【図８】
0005787529.tif 000009
【図９】
0005787529.tif 000010
【図１０】
0005787529.tif 000011
【図１１】
0005787529.tif 000012
【図１２】
0005787529.tif 000013